(57)【要約】【課題】自然溶解型骨壷を用いて容易かつ効率的に墓地を管理する。【解決手段】Ｘ−Ｙ直交座系の座標値を含む埋葬エリアコードで任意の埋葬エリア（セル）を表してこの埋葬エリアコードで墓地を管理する。また、申込、申込日から入金なく所定期間経過、埋葬日からクリア期間経過によって空き情報を自動更新する。使用中の埋葬エリアがクリア期間を経過すると自動的に空き状態となり、新規利用者が申込を行うことができる。利用者が親戚等に埋葬エリアを知らせ、親戚等がこれを確認したり、本人が埋葬エリアを忘れたときにこれを確認したりすることもできる。【選択図】図４
2007172479.tif 000002
【特許請求の範囲】
【請求項１】
自然溶解型骨壺が埋葬される墓地を識別する墓地識別情報及び墓地利用状況表示指示を入力する入力手段と、
複数の墓地識別情報と各墓地内の埋葬エリア座標情報と利用者識別情報を含む利用者情報と埋葬時情報と空き情報とが対応して墓地管理情報として格納された墓地管理情報記憶手段と、
クリア期間を記憶する設定記憶手段と、
表示手段と、
制御手段とを有し、該制御手段は、
該墓地管理情報の埋葬時情報が該クリア期間を経過している場合には、該空き情報が空きを示すように該空き情報を更新し、
該該入力手段からの墓地利用状況指示に応答して、該墓地管理情報を参照し、該入力手段からの墓地識別情報に対応した該空き情報を該表示手段に表示させる、
ことを特徴とする墓地管理装置。
【請求項２】
該墓地管理情報は、
複数の墓地識別情報と各墓地内の埋葬エリア座標情報と利用者識別情報とが実質的に対応付けられた墓地管理データ集合と、
該利用者識別情報を含む利用者情報と埋葬時情報と墓地識別情報と埋葬エリア座標情報とが実質的に対応付けられた利用者情報データ集合と、
を有することを特徴とする請求項１に記載の墓地管理装置。
【請求項３】
該空き情報は、該利用者識別情報が特定の無効なコードである場合に空きを示すものであり、
該制御手段は、該墓地管理情報の埋葬時情報が該クリア期間を経過している場合には、該利用者識別情報を該特定の無効なコードに書き換える、
ことを特徴とする請求項２に記載の墓地管理装置。
【請求項４】
該埋葬エリア座標情報は、Ｘ−Ｙ直交座標系の座標値を含むことを特徴とする請求項１乃至３のいずれか１つに記載の墓地管理装置。
【請求項５】
該入力手段はさらに墓地識別情報と埋葬エリア座表情報と利用者情報と申込指示とを入力するものであり、
該制御手段は、該申込指示に応答して、該墓地管理情報を参照し、該入力手段からの墓地識別情報及び埋葬エリア座標情報に対応した該空き情報が空きを示していれば、該利用者情報を該墓地識別情報及び該埋葬エリア座標情報と対応させて該墓地管理情報に登録する、
ことを特徴とする請求項１乃至４のいずれか１つに記載の墓地管理装置。
【請求項６】
該入力手段は、さらに利用者識別情報及び確認指示を入力するものであり、
該制御手段は、該確認指示に応答して、該入力手段からの利用者識別情報に対応した情報を該墓地管理情報から読み出して該表示手段に表示させる、
ことを特徴とする請求項５に記載の墓地管理装置。
【請求項７】
請求項１乃至６のいずれか１つに記載の墓地管理装置と、
該墓地管理装置の制御手段に結合されたネットワークインタフェースと、
を有することを特徴とする墓地管理サーバ。
【請求項８】
自然溶解型骨壺が埋葬される墓地を識別する墓地識別情報及び墓地利用状況表示指示を入力する入力手段と、
複数の墓地識別情報と各墓地内の埋葬エリア座標情報と利用者識別情報を含む利用者情報と埋葬時情報と空き情報とが対応して墓地管理情報として格納された墓地管理情報記憶手段と、
クリア期間を記憶する設定記憶手段と、
表示手段と、
を用い、プロセッサに対し、
該墓地管理情報の埋葬時情報が該クリア期間を経過している場合には、該空き情報が空きを示すように該空き情報を更新させ、
該利用状況指示に応答して、該墓地管理情報を参照させ、該入力手段からの墓地識別情報に対応した該空き情報を該表示手段に表示させる、
ことを特徴とする墓地管理方法。
【発明の詳細な説明】
【技術分野】
【０００１】
本発明は、人やペットの火葬後の遺骨が自然溶解型骨壷に納められて共同埋葬される墓地の管理方法及び装置に関する。
【背景技術】
【０００２】
火葬後の埋葬方法としては、遺骨を陶磁器製の骨壷に納めて墓地に埋葬するのが一般的である。
【０００３】
ところが、非自然溶解型骨壷を用いた埋葬方法は遺骨を自然に帰すものではないため、近年の高齢化社会とともに墓地適用地の不足が問題となっている。また、骨壷を用いない散骨による自然葬であっても、近隣住民に精神的被害（嫌悪感）を与えてしまうという問題がある。
【０００４】
そこで、本発明者は、火葬後の遺骨を粉砕して得られる粉状遺骨を収容する紙製骨壷による墓地への埋葬方法を提案した（特願２００５−０３２５０９）。この発明によれば、近年における墓地の適用地の不足という問題を根本的に解決することが可能である。
【０００５】
しかしながら、紙製骨壷等の自然溶解型骨壷を利用した埋葬方法は、遺骨が自然に帰することを可能にする一方で、年月の経過に伴って、墓地の何処に当該遺骨が埋葬されたかを正確に認識することが困難となり、また、所定の期間が経過した後に、同様の場所に再び埋葬を行うことができなければ、上記墓地不足の問題を効果的に解決することができない。
【発明の開示】
【発明が解決しようとする課題】
【０００６】
本発明の目的は、このような問題点に鑑み、自然溶解型骨壷を用いて容易かつ効率的に墓地を管理することが可能な墓地管理方法及び装置を提供することにある。
【課題を解決するための手段】
【０００７】
本発明による墓地管理装置の第１態様では、
自然溶解型骨壺が埋葬される墓地を識別する墓地識別情報及び墓地利用状況表示指示を入力する入力手段と、
複数の墓地識別情報と各墓地内の埋葬エリア座標情報と利用者識別情報を含む利用者情報と埋葬時情報と空き情報とが対応して墓地管理情報として格納された墓地管理情報記憶手段と、
クリア期間を記憶する設定記憶手段と、
表示手段と、
制御手段とを有し、該制御手段は、
該墓地管理情報の埋葬時情報が該クリア期間を経過している場合には、該空き情報が空きを示すように該空き情報を更新し、
該入力手段からの墓地利用状況指示に応答して、該墓地管理情報を参照し、該入力手段からの墓地識別情報に対応した該空き情報を該表示手段に表示させる。
【０００８】
本発明による墓地管理装置の第２態様では、第１態様において、
該墓地管理情報は、
複数の墓地識別情報と各墓地内の埋葬エリア座標情報と利用者識別情報とが実質的に対応付けられた墓地管理データ集合と、
該利用者識別情報を含む利用者情報と埋葬時情報と墓地識別情報と埋葬エリア座標情報とが実質的に対応付けられた利用者情報データ集合とを有する。
【０００９】
本発明による墓地管理装置の第３態様では、第２態様において、
該空き情報は、該利用者識別情報が特定の無効なコードである場合に空きを示すものであり、
該制御手段は、該墓地管理情報の埋葬時情報が該クリア期間を経過している場合には、該利用者識別情報を該特定の無効なコードに書き換える。
【００１０】
本発明による墓地管理装置の第４態様では、第１乃至３態様のいずれか１つにおいて、該埋葬エリア座標情報は、Ｘ−Ｙ直交座標系の座標値を含む。
【００１１】
本発明による墓地管理装置の第５態様では、第１乃至４態様のいずれか１つにおいて、
該入力手段はさらに墓地識別情報と埋葬エリア座表情報と利用者情報と申込指示とを入力するものであり、
該制御手段は、該申込指示に応答して、該墓地管理情報を参照し、該入力手段からの墓地識別情報及び埋葬エリア座標情報に対応した該空き情報が空きを示していれば、該利用者情報を該墓地識別情報及び該埋葬エリア座標情報と対応させて該墓地管理情報に登録する。
【００１２】
本発明による墓地管理装置の第６態様では、第５態様において、
該入力手段は、さらに利用者識別情報及び確認指示を入力するものであり、
該制御手段は、該確認指示に応答して、該入力手段からの利用者識別情報に対応した情報を該墓地管理情報から読み出して該表示手段に表示させる。
【発明の効果】
【００１３】
上記第１態様の構成によれば、各墓地内の埋葬エリアが座標情報で表され、かつ、埋葬時情報がクリア期間を経過していることを示している場合にはこの座標情報に対応した空き情報が空きを示すように該空き情報が自動更新され、すなわち使用中のエリアがクリア期間を経過すると自動的に空き状態となり、新規利用者がこのエリアに対し申込を行うことができるので、墓地管理を容易かつ効率的に行うことができ、墓地不足の解決に寄与するところが大きい。
【００１４】
上記第２態様の構成によれば、該墓地管理情報が、複数の墓地識別情報と各墓地内の埋葬エリア座標情報と利用者識別情報とが実質的に対応付けられた墓地管理データ集合と、該利用者識別情報を含む利用者情報と埋葬時情報と墓地識別情報と埋葬エリア座標情報とが実質的に対応付けられた利用者情報データ集合とを有するので、該墓地管理データ集合に基づいて現在の墓地利用状況を管理できるとともに、該利用者情報データ集合に基づいて、クリア期間を経過した過去の利用者に対する埋葬エリア確認等のサービスを提供することができる。
【００１５】
上記第３態様の構成によれば、該空き情報は、該利用者識別情報が特定の無効なコードである場合に空きを示すものであるので、特別な空き情報を用いる必要がなく、構成が簡単になる。
【００１６】
上記第４態様の構成によれば、該埋葬エリア座標情報がＸ−Ｙ直交座標系の座標値を含むので、コンピュータでの処理が簡単になるとともに、利用者及び墓地管理人が容易に埋葬エリアを識別でき、墓地管理が容易である。
【００１７】
上記第６態様の構成によれば、確認指示に応答して、該入力手段からの利用者識別情報に対応した情報を該墓地管理情報から読み出して該表示手段に表示させるので、利用者が親戚等に埋葬エリアを知らせ、親戚等がこれを確認したり、本人が埋葬エリアを忘れたために確認したりすることができ、埋葬エリア確認サービスの向上に寄与する。
【００１８】
本発明の他の目的、構成及び効果は以下の説明から明らかになる。
【実施例１】
【００１９】
以下、図面を参照して本発明の実施例を説明する。
【００２０】
図１（Ａ）は、自然溶解型骨壷としての水溶紙製骨壺１０を示す斜視図であり、この骨壺１０は、本発明の管理対象である自然葬墓地に用いられる。図１（Ｂ）及び（Ｃ）はそれぞれ、この骨壺１０を構成する筒状容器１１及び蓋１２の縦断面図である。
【００２１】
骨壺１０のサイズは例えば、外径１３０ｍｍ×高さ２００ｍｍ、内径１２３ｍｍである。骨壺１０内には、火葬場で遺骨が入れられ、その後、埋葬前にこの遺骨が骨壺１０から取り出され、粉砕されて例えば粒径約２ｍｍ以下の粉状物にされ、骨壺１０内に戻される。
【００２２】
図１（Ｄ）は、墓地１３の平面図に後述の座標格子を重ね合わせた図である。座標格子は仮想的なものであり、２点鎖線で示されている。墓地１０は、埋葬が行われる矩形の芝生ヤード１３０の隣り合う２辺にそれぞれ所定間隔毎に座標識別子１３１、１３２が設置されている。座標識別子１３１、１３２は、例えば着色コンクリートブロック又は着色石であって、５０ｃｍ間隔で白色と赤色のものが交互に配置されている。座標識別子１３１、１３２にはそれぞれ、Ｘ座標の値ｉ＝０，１，２，・・・、Ｙ座標の値ｊ＝０，１，２，・・・が記載されており、図１（Ｄ）ではこれらの値が座標格子に対応して記載されている。
【００２３】
図１（Ｅ）は、芝生ヤード１３０の縦断面図であり、骨壺１０の埋葬エリアは、Ｘ方向とＹ方向の座標識別子１３１、１３２で示される座標位置（ｉ，ｊ）に対応している。水はけをよくするために、芝生ヤード１３０の下方には排水管１３３が埋設されており、排水管１３３の側面には多数の孔１３４が形成されている。
【００２４】
図２は、墓地管理Ｗｅｂシステムを示す概略図である。
【００２５】
このシステムは、インターネットＮＥＴに結合された墓地管理サーバ２０と複数台のクライアント２２とを備えている。図２では簡単化のために、１つのクライアント２２のみを示し、また、ルータやモデムを図示省略している。
【００２６】
墓地管理サーバ２０は、コンピュータ本体２３と、これに結合された外部記憶装置２４とを備えている。コンピュータ本体２３では制御部２３１が、ネットワークインタフェース２３２を介してインターネットＮＥＴに結合され、外部記憶装置２４のコンテンツ２４１に結合され、さらにデータベース管理システム（ＤＢＭＳ）２３３を介し外部記憶装置２４のデータベース２４２に結合されている。
【００２７】
コンピュータ本体２３の制御部２３１及びＤＢＭＳ２３３は、ハードウェアとソフトウェアの組み合わせを機能的に示したものである。
【００２８】
制御部２３１のソフトウェアは、オペレーティングシステム（ＯＳ）、このＯＳ上で動作するＷｅｂサーバプログラム及びＷｅｂアプリケーションプログラムを有している。
【００２９】
外部記憶装置２４には、コンテンツ２４１及びデータベース２４２が格納され、データベース２４２には、ＨＴＭＬファイルの集合と、各ＨＴＭＬファイルにリンクされ又はＷｅｂアプリケーションプログラムでリンクされる画像ファイルが含まれている。
【００３０】
制御部２３１は、クライアント２２からの要求（ブラウザからの要求）に応じて、コンテンツ２４１中のファイルをクライアント２２へ送信（ブラウザへ送信）し、又は、ＤＢＭＳ２３３を介しデータベース２４２をアクセスし、そのデータを用いて、コンテンツ２４１中のファイルを選択し又はコンテンツ２４１中のファイルを用いてＨＴＭファイルを作成し、クライアント２２へ送信する。
【００３１】
図３（Ａ）に示す地区マップファイル３０は、コンテンツ２４１の一部であり、その各ファイルの内容は、各地区に存在する墓地１３の位置を示す。
【００３２】
図３（Ｂ）に示す座標格子ファイル３１は、コンテンツ２４１の一部であり、地区マップファイル３０で示された各地に存在する墓地１３のデジタル写真と、これに重畳された座標格子とを含んでいる。すなわち、座標格子ファイル３１は、座標格子３１０を含み、その外枠の隣り合う辺にはＸ−Ｙ直交座標系の座標軸の目盛りとしてのＸ座標コード３１１及びＹ座標コード３１２が付されている。
【００３３】
整数の組である座標（Ｘ，Ｙ）は、１つの骨壺１０の埋葬エリア（セル）に対応している。座標格子ファイル３１のファイル名は、墓地コードを含んでおり、例えば、１０００．ｈｔｍは、墓地コードが１０００であることを示している。例えば墓地コードの上位２桁は都道府県コードであり、下位２桁はその都道府県内の墓地のシリアル番号である。
【００３４】
座標格子３１０は、ＨＴＭＬファイル中のテーブルで表したり、ＷｅｂアプリケーションでＣＡＤソフトを利用しパラメータを与えることで画像として作成したりすることができる。また、墓地１３のデジタル写真は、このテーブルを含む外側のテーブルの背景画像として表すことができる。この写真は、季節に応じて変更するのが好ましい。
【００３５】
図４は、データベース２４２を構成する墓地管理テーブル４０を示す。このテーブルは、墓地コードとＸ座標コードとＹ座標コードとからなる埋葬エリアコード、空き情報及び利用者ＩＤのフィールドを含んでいる。
【００３６】
図５は、データベース２４２を構成する利用者情報テーブル４１を示す。このテーブルは、利用者ＩＤ、パスワード、氏名、住所、申込日、埋葬予定日、埋葬日及び埋葬エリアコードのフィールドを含んでいる。利用者情報テーブル４１にも埋葬エリアコードを含む理由は、同じ埋葬エリアコードを期間毎に異なる人で共有できるからであり、本発明の特徴の１つである。利用者情報テーブル４１は墓地管理テーブル４０と共にリレーショナルデータベースを構成している。
【００３７】
利用者がクライアント２２のブラウザ上でサーバ２０のアドレスを指定すると、墓地管理サーバ２０の制御部２３１はこれに応答して、例えば図９（Ａ）に示すようなメニューを表示するためのファイルをクライアント２２に送信する。利用者は入力装置を操作して、ブラウザ上で希望する地区を指定し、さらに「利用状況表示又は申込」を選択すると、これらの情報が墓地管理サーバ２０に送信され、墓地管理サーバ２０とクライアント２２の間で図６及び図７に示すような動作が行われる。以下、括弧内は図中のステップ識別符号である。
【００３８】
（Ｓ１０）墓地管理サーバ２０は、コンテンツ２４１からこの指定された地区に該当するマップファイルを読み出し、クライアント２２に送信する。
【００３９】
（Ｓ１１）これにより、例えば図９（Ｂ）に示すような希望する地区マップが、クライアント２２の画面に表示される。利用者は、この地区マップに示された墓地の位置群のうちの１つを、マウスのクリック時のカーソル位置Ｐにより指定する。この位置Ｐの座標データが検出されて、サーバ２０に送信される。
【００４０】
（Ｓ１２）制御部２３１はこれに応答して、位置と墓地コードとが対応付けられた不図示のテーブルを参照し、位置Ｐに対応した墓地コードを検出する。
【００４１】
（Ｓ１３）制御部２３１は、図４の墓地管理テーブル４０から、検出した墓地コードを含む埋葬エリアコードのうち、空き情報が"１"（使用中又は申込み中）である埋葬エリアコードを抽出する。
【００４２】
（Ｓ１４）制御部２３１は、ステップＳ１２で検出した墓地コードを含む名前のファイルをコンテンツ２４１から読み出し、前記抽出した埋葬エリアコードを参照して利用状況ファイルを作成する。例えば、この墓地コードを含む名前のファイル１０００．ｈｔｍにおいて、その座標格子（テーブル）内の、前記抽出した埋葬エリアコードに含まれる座標（Ｘ，Ｙ）に対応したセルに、他のセルと異なる背景色を設定することにより、利用状況ファイルを作成し、これをクライアント２２に送信する。
【００４３】
（Ｓ１５）これにより、クライアント２２の画面には、例えば図９（Ｃ）に示すような利用状況の座標格子３１０Ａが表示される。図９（Ｃ）中の斜線部のセルは、空き情報の値が"１"であって、その背景色が他のセルと異なり、使用中又は申込中となっているエリアであることを示す。
【００４４】
（Ｓ１６）利用者は、座標格子３１０Ａ上の申込希望エリアを、マウスのクリック時のマウスカーソル位置Ｑにより指定する。この位置Ｑのデータが検出され、墓地コードとともに墓地管理サーバ２０に送信される。
【００４５】
（Ｓ１７）制御部２３１は、受信した位置Ｑと墓地コードとに基づいて、位置Ｑが含まれるセルのＸ座標コード及びＹ座標コードを求め、受信した墓地コードとこの座標コードとからなる埋葬エリアコードを墓地管理テーブル４０から検索し、対応する空き情報を読み出す。
【００４６】
（Ｓ１８）この空き情報の値が"０"であれば、ステップ１９へ進み、"１"であれば、ステップ１４へ戻る。
【００４７】
（Ｓ１９）制御部２３１は、利用者情報登録画面を表示させるファイルをクライアント２２に送信する。
【００４８】
（Ｓ２０）これにより、クライアント２２に例えば図９（Ｄ）に示すような利用者情報登録画面が表示される。
【００４９】
（Ｓ２１）利用者が、氏名、住所等の情報を入力した後に「申込」を選択した場合には、ステップ２２へ進み、「戻る」を選択した場合にはその情報を墓地管理サーバ２０へ送信する。
【００５０】
（Ｓ２２）クライアント２２は、入力された利用者情報を墓地管理サーバ２０へ送信する。
【００５１】
（Ｓ２３）制御部２３１は、この利用者情報の受信に応答して、墓地管理テーブル４０の対応する埋葬エリアコードの空き情報を"１"に変更し、利用者ＩＤ及びパスワードを発行し、この利用者ＩＤをこのレコードに書き込む。また、制御部２３１は利用者情報テーブル４１に新規レコードを追加し、これに、前記利用者ＩＤ、パスワード、受信した氏名、住所及び申込日等の利用者情報を、申込対象の埋葬エリアコードとともに書き込む。
【００５２】
制御部２３１は、「戻る」の情報を受信した場合、図９（Ａ）の初期画面を表示させるファイルをクライアント２２へ送信する。
【００５３】
（Ｓ２４）制御部２３１は、利用者情報テーブル４１に上記のように新規作成したレコードの内容を含む申込受付完了画面を表示させるためのファイルを、クライアント２２に送信する。
【００５４】
（Ｓ２５）これにより、クライアント２２に例えば図１０（Ａ）に示すような申込受付完了画面が表示される。
【００５５】
なお、骨壺１０及びその中の粉状遺骨は雨水で土中に自然溶解し拡散するので、所定期間経過すれば墓地として再利用できる。そこで、墓地管理サーバ２０の外部記憶装置２４にはクリア期間、例えば５年が設定されており、制御部２３１は、図４の墓地管理テーブル４０と図５の利用者情報テーブル４１とのリレーショナルデータベースについて、定期的に、例えば毎月１回、埋葬日からクリア期間が経過しているか否かを判定し、経過していれば、墓地管理テーブル４０において、空き情報を"０"にするとともに利用者ＩＤをゼロクリアする（無効な利用者ＩＤにする）。
【００５６】
制御部２３１はまた、例えば１日１回、申込日から所定期間内、例えば１０日以内に申込料金が入金されているか否かを判定し、否定判定した場合には、墓地管理テーブル４０において、空き情報を"０"にするとともに利用者ＩＤをゼロクリアし、さらに、利用者情報テーブル４１の該当レコードを削除する。
【００５７】
墓地の現地管理人は、他のプログラムを起動させて埋葬予定日を入力すると、利用者情報テーブル４１の該当するレコードが表示され、利用者が埋葬を完了したら「埋葬完了」ボタンを押下することにより、該当レコードの埋葬日に当日の日付が入力される。
【００５８】
本実施例１によれば、Ｘ−Ｙ直交座標を含む埋葬エリアコードで任意の埋葬エリアを表してこの埋葬エリアコードで墓地を管理するので、コンピュータでの処理が簡単になるとともに、利用者及び墓地管理人が容易に埋葬エリアを識別でき、墓地管理が容易である。
【００５９】
また、申込、申込日から入金なく所定期間経過、埋葬日からクリア期間経過によって空き情報が自動更新されるので、インターネットを介し全国の利用者が最新の墓地利用状況をマップで容易に確認できる。
【００６０】
さらに、使用中の埋葬エリアがクリア期間を経過すると自動的に空き状態となり、新規利用者が申込を行うことができるため、効率的な墓地管理を行うことができる。
【００６１】
ここで、利用者が親戚等に埋葬エリアを知らせ、親戚等がこれを確認したり、本人が埋葬エリアを忘れたために確認したりしたい場合がある。
【００６２】
図８は、利用者が墓地申込みを行った後に、本人又はその関係者が図９（Ａ）の初期画面で「確認」を選択した場合の、墓地管理サーバ２０とクライアント２２の協調動作のシーケンスを示すフローチャートである。
【００６３】
（Ｓ２６）墓地管理サーバ２０の制御部２３１は、この選択に応答して、例えば図１０（Ｂ）に示すような利用者ＩＤ及びパスワード入力画面をクライアント２２に表示するためのファイルを送信する。
【００６４】
（Ｓ２７）利用者は、制御部２３１により以前に発行された利用者ＩＤ及びパスワードをブラウザ上で入力して、送信ボタンを押下する。クライアント２２はこれに応答して、この利用者ＩＤ及びパスワードを墓地管理サーバ２０へ送信する。
【００６５】
（Ｓ２８〜Ｓ３０）制御部２３１は、受信した利用者ＩＤをキーとして利用者情報テーブル４１を検索し、一致するレコードがなければＮＧ情報を表示させるためのファイルをクライアント２２へ送信し、有ればそのレコードの利用者情報を表示させるためのファイルをクライアント２２へ送信する。
【００６６】
（Ｓ３１）これにより、一致するレコードが有ればクライアント２２に例えば図１０（Ｃ）に示すような利用者情報確認画面が表示される。墓地マップ確認ボタンを押下すると、例えば図１０（Ｄ）に示すような当該利用者の埋葬エリアを示すマップが表示される。
【００６７】
なお、本発明には外にも種々の変形例が含まれる。
【００６８】
例えば、利用者状況表示は座標格子を用いたものが好ましいが、これは文字で表した情報であってもよい。また、上記実施例では多数のクライアントに対する並列処理をサーバ２０で高速に行うために、墓地管理テーブル４０において空き情報を示すフラグを用いたが、このフラグを用いずに、有効な利用者ＩＤの有無により空き情報を表す構成であってもよい。この場合、例えば０は無効な利用者ＩＤであって、空きを示す。さらに、墓地管理テーブル４０は、使用中又は申込中のレコードのみ記入する構成であってもよい。この場合、墓地管理テーブル４０に含まれない座標コードＸ，Ｙは空きの埋葬エリアに対応している。データ集合はテーブル形式に限定されず、例えばリスト構造であってもよい。
【００６９】
また、座標識別子１３１及び１３２は、例えば図１１に示すように、これらの軸が芝生ヤード１３０内をクロスするように配置されていてもよい。さらに、埋葬領域を芝生ヤード１３０の一部、例えば図１１に示すように中央領域に限定する構成であってもよい。
【００７０】
さらに、本発明の装置をサーバとして用いずに、現地管理室に装置を配置して管理人が墓地を管理するのに用いることができる。
【００７１】
また、宗教毎に墓地を分ける構成であったり、利用者毎のホームページを提供して故人の写真や動画、文章、イラスト、好んだ音楽等の思い出を掲載するようにしたり、利用者情報テーブルに故人の命日を記入し、命日、彼岸などの礼拝時期に利用者へメールを自動送信するようにしてもよい。このホームページの閲覧に関しては、パスワードを必要とするクローズ形式のものと必要としないオープン形式のものを選択的に利用できるようにしてもよい。さらに、利用者情報テーブルに、遺骨の配送方法及び配送予定日等のフィールドを設け、宅急便（登録商標）などで墓地管理事務所へ遺骨を配送するようにしてもよい。
【００７２】
また、上記実施例では人の遺骨に関して説明したが、本発明をペットの遺骨に適用できることは勿論である。
【図面の簡単な説明】
【００７３】
【図１】（Ａ）本発明の管理対象である自然葬墓地に用いられる自然溶解型骨壷としての水溶紙製骨壺を示す斜視図であり、（Ｂ）及び（Ｃ）はそれぞれ、この骨壺を構成する筒状容器及び蓋の縦断面図であり、（Ｄ）は自然葬墓地の平面図であり、（Ｅ）は（Ｄ）の一部の拡大縦断面図である。
【図２】墓地管理Ｗｅｂシステムを示す概略図である。
【図３】（Ａ）はコンテンツを構成する地区マップファイルの説明図であり、（Ｂ）はコンテンツを構成する、墓地に対応した座標格子のファイルの説明図である。
【図４】データベースを構成する墓地管理テーブルの説明図である。
【図５】データベースを構成する利用者情報テーブルの説明図である。
【図６】利用者が初期画面で「利用状況表示又は申込」を選択した場合の、墓地管理サーバとクライアントの協調動作のシーケンスを示すフローチャートである。
【図７】図６の続きを示すフローチャートである。
【図８】利用者が墓地申込みを行った後に、本人又はその関係者が初期画面で「確認」を選択した場合の、墓地管理サーバとクライアントの協調動作のシーケンスを示すフローチャートである。
【図９】図６及び図７のフローチャートでの処理を説明する図である。
【図１０】（Ａ）は図７のフローチャートでの処理を説明する図、（Ｂ）〜（Ｄ）は図８のフローチャートでの処理を説明する図である。
【図１１】実施例１の変形例を示す、自然葬墓地の平面図である。
【符号の説明】
【００７４】
１０  骨壺
１１  筒状容器
１２  蓋
１３  墓地
１３０  芝生ヤード
１３１、１３２  座標識別子
１３３  排水管
１３４  孔
２０  墓地管理サーバ
ＮＥＴ  インターネット
２２  クライアント
２３  コンピュータ本体
２３２  ネットワークインタフェース
２３１  制御部
２３３  ＤＢＭＳ
２４  外部記憶装置
２４１  コンテンツ
２４２  データベース
３０  地区マップファイル
３１  ファイル
３１０、３１０Ａ  座標格子
３１１  Ｘ座標コード
３１２  Ｙ座標コード
４０  墓地管理テーブル
４１  利用者情報テーブル
【図１】
2007172479.tif 000003
【図２】
2007172479.tif 000004
【図３】
2007172479.tif 000005
【図４】
2007172479.tif 000006
【図５】
2007172479.tif 000007
【図６】
2007172479.tif 000008
【図７】
2007172479.tif 000009
【図８】
2007172479.tif 000010
【図９】
2007172479.tif 000011
【図１０】
2007172479.tif 000012
【図１１】
2007172479.tif 000013